(57)【要約】      （修正有）【課題】装着されるカードの外径寸法は同じであるが数の異なるコンタクト端子がインサート成形により設けられるハウジング同士を、形状および寸法の同じ成形金型により成形することができるカード用コネクタの提供。【解決手段】フープ材20に切除部32A〜32O、未完成状態のコンタクト端子30G，30H、未完成状態の外部接続部31A，31Hのうちから設定された第１，第２切除部群が、ハウジング2に未完成状態のコンタクト端子30A〜30Hがインサート成形で固着され、露出部33A〜33Kで露出される。第１切除部群を切除すれば第１カードの電極に対応した第１コンタクト端子を形成でき、第２切除部群を切除すれば第１カードと外形寸法が同じで第１カードよりも多くの電極を有する第２カードの電極に対応した第２コンタクト端子を形成できる。【選択図】図１−７
2010192407.tif 000002
【特許請求の範囲】
【請求項１】
複数の電極を有するカードが装着されるハウジングと、このハウジングに前記複数の電極に対応して設けられた複数のコンタクト端子とを備え、前記複数のコンタクト端子は前記ハウジングに設けられる前、フープ材に、結合した未完成状態で設けられ、前記結合した複数のコンタクト端子はインサート成形により前記ハウジングに固着された後、前記フープ材において予め設定された複数個所が切除されたことによって互いに分離したものとなったカード用コネクタであって、
前記フープ材には、切除される前記複数個所として第１，第２切除部群が設けられ、
前記第１切除部群は、その切除により、前記カードとしての第１カードの複数の電極に対応した複数の第１コンタクト端子が設けられるよう設定されたものであり、
前記第２切除部群は、その切除により、前記第１カードと外形寸法が同じで前記第１カードよりも多くの電極を有する前記カードとしての第２カードの複数の電極に対応した複数の第２コンタクト端子が設けられるよう設定されたものであり、
前記ハウジングには前記結合した複数のコンタクト端子が固着された状態において前記第１，第２切除部群をすべて露出させる複数の露出部が設けられ、
前記第１コンタクト端子または前記第２コンタクト端子は前記第１，第２切除部群のうちの一方が選択的に切除されて設けられた
ことを特徴とするカード用コネクタ。
【請求項２】
請求項１に記載の発明において、
前記第１コンタクト端子が「ｎ」個あり、前記第２コンタクト端子が「ｎ＋ｍ」個あり、前記第１コンタクト端子のそれぞれに連続して前記ハウジング外に導出された「ｎ」個の第１外部接続部の配列に、前記第２コンタクト端子のそれぞれに連続して前記ハウジング外に導出された「ｎ＋ｍ」個の第２外部接続部のうち「ｎ」個の配列が一致するよう設定された
ことを特徴とするカード用コネクタ。
【請求項３】
請求項１または２に記載の発明において、
前記第１カードの挿入方向と前記第２カードの挿入方向は同じ方向に設定され、
前記第１コンタクト端子が６つ、前記挿入方向に２行、前記挿入方向に対する直交方向に３列に配列され、
前記第２コンタクト端子が８つ、前記挿入方向に２行、前記直交方向に４列に配列された
ことを特徴とするカード用コネクタ。
【請求項４】
カードの複数の電極に対応する複数のコンタクト端子をフープ材に、結合した未完成状態で設ける第１工程と、
前記結合した複数のコンタクト端子をインサート成形によりカード用コネクタのハウジングに固着する第２工程と、
前記フープ材において予め設定された複数個所を切除することによって、前記結合した複数のコンタクト端子を互いに分離させる第３工程と、を含んだカード用コネクタの製造方法であって、
前記フープ材には、切除される前記複数個所として第１，第２切除部群が設けられ、
前記第１切除部群は、その切除により、前記カードとしての第１カードの複数の電極に対応した複数の第１コンタクト端子が設けられるよう設定されたものであり、
前記第２切除部群は、その切除により、前記第１カードと外形寸法が同じで前記第１カードよりも多くの電極を有する前記カードとしての第２カードの複数の電極に対応した複数の第２コンタクト端子が設けられるよう設定されたものであり、
前記第２工程において、前記ハウジングに前記第１，第２切除部群をすべて露出させる複数の露出部を設け、
前記第３工程において、前記第１，第２切除部群のうち前記第１切除部群を切除することによって複数の前記第１コンタクト端子を設けるか、前記第１，第２切除部群のうち前記第２切除部群を切除することによって前記複数の第２コンタクト端子を設けるかを選択する
ことを特徴とするカード用コネクタの製造方法。
【請求項５】
複数の電極を有するカードが装着されるハウジングと、このハウジングに前記複数の電極に対応して設けられた複数のコンタクト端子とを備え、前記複数のコンタクト端子は前記ハウジングに設けられる前、フープ材に、結合した未完成状態で設けられ、前記結合した複数のコンタクト端子はインサート成形により前記ハウジングに固着された後、前記フープ材において予め設定された複数個所が切除されたことによって互いに分離したものとなったカード用コネクタに採用されるハウジングであって、
前記フープ材には切除される前記複数個所として第１，第２切除部群が設けられ、
前記第１切除部群は、その切除により、前記カードとしての第１カードの複数の電極に対応した複数の第１コンタクト端子が設けられるよう設定されたものであり、
前記第２切除部群は、その切除により、前記第１カードと外形寸法が同じで前記第１カードよりも多くの電極を有する前記カードとしての第２カードの複数の電極に対応した複数の第２コンタクト端子が設けられるよう設定されたものであり、
前記結合した複数のコンタクト端子が固着された状態において前記第１，第２切除部群をすべて露出させる複数の露出部が設けられた
ことを特徴とするカード用コネクタのハウジング。
【発明の詳細な説明】
【技術分野】
【０００１】
本発明は、ハウジングにコンタクト端子がインサート成形により設けられたカード用コネクタおよびその製造方法に関する。
【背景技術】
【０００２】
従来のカード用コネクタにおいて、絶縁性の樹脂材料からなるハウジングには、このハウジングにカードが装着されたときに、そのカードから露出した複数の電極のそれぞれに接触する複数のコンタクト端子が設けられている。
【０００３】
カード用コネクタの製造方法において、複数のコンタクト端子はハウジングに設けられる前、フープ材に設けられて互いに結合した未完成な状態となっている。その結合した状態の複数のコンタクト端子は、インサート成形によりハウジングに設けられる。そのインサート成形において、結合した状態の複数のコンタクト端子は成形金型（ｍｏｌｄ）により形成されたキャビティ内に配置され、そのキャビティン内には溶融樹脂が加圧注入される。そして、その溶融樹脂が凝固してハウジングを成すことによって、結合した状態の複数のコンタクト端子がハウジングに固着されることになる。このように、結合した状態の複数のコンタクト端子がハウジングに固着された状態で、フープ材に予め設定された複数の切除部が切除されるとともにフープ材から切り離されることによって、複数のコンタクト端子が完成する。
【０００４】
この種の従来のカード用コネクタについては特許文献１を参照されたい。
【先行技術文献】
【特許文献】
【０００５】
【特許文献１】特開２００６−３２４０４３
【発明の概要】
【発明が解決しようとする課題】
【０００６】
カード用コネクタの製造方法においては、結合した状態の複数のコンタクト端子を成形金型のキャビティ内に配置した状態で、そのキャビティ内に溶融樹脂を加圧注入して凝固させるインサート成形が行われる。このため、成形金型は、ハウジングに装着されるカードの外径寸法だけでなく、そのカードの電極に接触されることになるコンタクト端子の配列に対応した形状および寸法に設定されている。
【０００７】
ところで、カードの種類の中には、電極の数は異なるが外形寸法は同じものがある。例えばｓｉｍカードの種類には、電極が２行３列に配列された６ピンタイプと、電極が２行４列に配列された８ピンタイプとがあり、これら２種類のカードは互いに外形寸法は同じに設定されている。このように外形寸法が同じカードが装着されるハウジング同士であっても、電極数が異なるため、従来は、異なる成形金型を用いてハウジングを作り分けていた。
【０００８】
本発明は前述の事情を考慮してなされたものであり、その目的は、装着されるカードの外径寸法は同じであるが数の異なるコンタクト端子がインサート成形により設けられるハウジング同士を、形状および寸法の同じ成形金型により成形することができるカード用コネクタおよびそれの製造方法を提供することにある。
【課題を解決するための手段】
【０００９】
本発明は前述の目的を達成するために次のように構成されている。
【００１０】
〔１〕  本発明のカード用コネクタは、複数の電極を有するカードが装着されるハウジングと、このハウジングに前記複数の電極に対応して設けられた複数のコンタクト端子とを備え、前記複数のコンタクト端子は前記ハウジングに設けられる前、結合した未完成状態でフープ材に設けられ、前記結合した複数のコンタクト端子はインサート成形により前記ハウジングに固着された後、前記フープ材において予め設定された複数個所が切除されたことによって互いに分離した完成状態となったカード用コネクタであって、前記フープ材には、切除される前記複数個所として第１，第２切除部群が設定され、前記第１切除部群は、その切除により、前記カードとしての第１カードの複数の電極に対応した複数の第１コンタクト端子が形成されるよう設定されたものであり、前記第２切除部群は、その切除により、前記第１カードと外形寸法が同じで前記第１カードよりも多くの電極を有する前記カードとしての第２カードの複数の電極に対応した複数の第２コンタクト端子が形成されるよう設定されたものであり、前記ハウジングには前記結合した複数のコンタクト端子が固着された状態において前記第１，第２切除部群をすべて露出させる複数の露出部が設けられ、前記第１コンタクト端子または前記第２コンタクト端子は、前記露出部から露出した前記第１，第２切除部群のうち一方が選択的に切除されて設けられたことを特徴とする。
【００１１】
この「〔１〕」に記載された本発明によれば、結合した未完成状態の複数のコンタクト端子をインサート成形によりハウジングに固着した状態において、複数の露出部により第１，第２切除部群をすべて露出させることから、結合した未完成状態の複数のコンタクト端子をインサート成形によりハウジングに固着した後に、露出部において治具を用い第１，第２切除部群を選択的に切除し、第１，第２コンタクト端子を選択的に形成することができる。これにより、装着されるカードの外径寸法は同じであるが数の異なるコンタクト端子がインサート成形により設けられるハウジング同士を、形状および寸法の同じ成形金型により成形することができる。
【００１２】
〔２〕  本発明のカード用コネクタは、「〔１〕」に記載の発明において、前記第１コンタクト端子が「ｎ」個あり、前記第２コンタクト端子が「ｎ＋ｍ」個あり、前記第１コンタクト端子のそれぞれに連続して前記ハウジング外に導出された「ｎ」個の第１外部接続部の配列に、前記第２コンタクト端子のそれぞれに連続して前記ハウジング外に導出された「ｎ＋ｍ」個の第２外部接続部のうち「ｎ」個の配列が一致するよう設定されたことを特徴とする。
【００１３】
この「〔２〕」に記載された本発明に係るカード用コネクタは、第１外部接続部や第２外部接続部が回路基板等に半田付けされることによって電子機器に実装される。この実装の際、第１外部接続部の配列に対応する半田付け部の配列の設定をすべて、第２外部接続部の配列に対応する半田付け部の配列の設定に利用できる。これにより、カード用コネクタの実装コストの削減に貢献できる。
【００１４】
〔３〕  本発明のカード用コネクタは、「〔１〕」または「〔２〕」に記載の発明において、前記第１カードの挿入方向と前記第２カードの挿入方向は同じ方向に設定され、前記第１コンタクト端子が６つ、前記挿入方向に２行、前記挿入方向に対する直交方向に３列の配列で設けられ、前記第２コンタクト端子が８つ、前記挿入方向に２行、前記直交方向に４列の配列で設けられたことを特徴とする。
【００１５】
この「〔３〕」に記載された本発明は、６ピンタイプのｓｉｍカードと８ｓｉｍカードとに対応するカード用コネクタの製造の容易化に貢献できる。
【００１６】
〔４〕  本発明のカード用コネクタの製造方法は、カードの複数の電極に対応する複数のコンタクト端子を、結合した未完成状態でフープ材に設ける第１工程と、前記結合した複数のコンタクト端子をインサート成形によりカード用コネクタのハウジングに固着する第２工程と、前記フープ材において予め設定された複数個所を切除することによって、前記結合した複数のコンタクト端子を互いに分離させて完成させる第３工程とを含んだカード用コネクタの製造方法であって、前記フープ材には、前記第３工程において切除される前記複数個所として第１，第２切除部群が設定され、前記第１切除部群は、その切除により、前記カードとしての第１カードの複数の電極に対応した複数の第１コンタクト端子が形成されるよう設定されたものであり、前記第２切除部群は、その切除により、前記第１カードと外形寸法が同じで前記第１カードよりも多くの電極を有する前記カードとしての第２カードの複数の電極に対応した複数の第２コンタクト端子が形成されるよう設定されたものであり、前記第２工程において、前記ハウジングに前記第１，第２切除部群をすべて露出させる複数の露出部を設け、前記第３工程において、前記第１，第２切除部群のうち前記第１切除部群を切除することによって複数の前記第１コンタクト端子を形成するか、前記第１，第２切除部群のうち前記第２切除部群を切除することによって前記複数の第２コンタクト端子を形成するかを選択することを特徴とする。
【００１７】
この「〔４〕」に記載された本発明によれば、第２工程において、結合した未完成状態の複数のコンタクト端子をインサート成形によりハウジングに固着した状態にし、複数の露出部により第１，第２切除部群をすべて露出させることから、露出部において治具を用い第１，第２切除部群を選択的に切除し、第１，第２コンタクト端子を選択的に形成することができる。これにより、装着されるカードの外径寸法は同じであるが数の異なるコンタクト端子がインサート成形により設けられるハウジング同士を、形状および寸法の同じ成形金型により成形することができる。
【００１８】
〔５〕  本発明のカード用コネクタのハウジングは、複数の電極を有するカードが装着されるハウジングと、このハウジングに前記複数の電極に対応して設けられた複数のコンタクト端子とを備え、前記複数のコンタクト端子は前記ハウジングに設けられる前、結合した未完成状態でフープ材に設けられ、前記結合した複数のコンタクト端子はインサート成形により前記ハウジングに固着された後、前記フープ材において予め設定された複数個所が切除されたことによって互いに分離した完成状態となったカード用コネクタに採用されるハウジングであって、前記フープ材には切除される前記複数個所として第１，第２切除部群が設定され、前記第１切除部群は、その切除により、前記カードとしての第１カードの複数の電極に対応した複数の第１コンタクト端子が形成されるよう設定されたものであり、前記第２切除部群は、その切除により、前記第１カードと外形寸法が同じで前記第１カードよりも多くの電極を有する前記カードとしての第２カードの複数の電極に対応した複数の第２コンタクト端子が形成されるよう設定されたものであり、前記結合した複数のコンタクト端子が固着された状態において前記第１，第２切除部群をすべて露出させる複数の露出部が設けられたことを特徴とする。
【００１９】
この「〔５〕」に記載された本発明によれば、結合した未完成状態の複数のコンタクト端子をインサート成形によりハウジングに固着した状態において、複数の露出部により第１，第２切除部群をすべて露出させることから、結合した未完成状態の複数のコンタクト端子をインサート成形によりハウジングに固着した後に、露出部において治具を用い第１，第２切除部群を選択的に切除し、第１，第２コンタクト端子を選択的に形成することができる。これにより、装着されるカードの外径寸法は同じであるが数の異なるコンタクト端子がインサート成形により設けられるハウジング同士を、形状および寸法の同じ成形金型により成形することができる。
【発明の効果】
【００２０】
本発明によれば、前述したように、装着されるカードの外径寸法は同じだが、インサート成形により設けられるコンタクト端子数の異なるハウジング同士を、形状および寸法の同じ成形金型により成形することができる。これにより、カード用コネクタの製造コストの削減に貢献できる。
【図面の簡単な説明】
【００２１】
【図１−１】本発明の第１実施形態に係るカード用コネクタの外観の斜視図である。
【図１−２】第１実施形態に係るカード用コネクタのケースの斜視図であって、（ａ）は６ピンタイプの第１カードに対応した第１コンタクト端子が設けられた場合の斜視図であり、（ｂ）は８ピンタイプの第２カードに対応した第２コンタクト端子が設けられた場合の斜視図である。
【図１−３】図１−１に示したカード用コネクタからカバー部材を取り除いた状態の上面図であって、（ａ）第１コンタクト端子が設けられた場合の上面図と、（ｂ）第２コンタクト端子が設けられた場合の上面図とを並べて示す図である。
【図１−４】（ａ）第１カードの電極側の面と（ｂ）第２カードの電極側の面とを並べて示す図である。
【図１−５】図１−３に示したカバー部材を取り除いたハウジングの上面図であって、（ａ）は第１コンタクト端子が設けられた場合の上面図であり、（ｂ）は第２コンタクト端子が設けられた場合の上面図である。
【図１−６】第１実施形態において第１，第２コンタクト端子の選択的な形成を可能にするためにフープ材に設けられた切除部を示す図である。
【図１−７】図１−６に示したフープ材がハウジングにインサート成形により固着された状態を示す図である。
【図１−８】（ａ）第１切除部群の切除により形成された第１コンタクト端子および第１外部接続部の図と、（ｂ）第２切除部群の切除により形成された第２コンタクト端子および第２外部接続部の図とを並べて示す図である。
【図２−１】本発明の第２実施形態に係るカード用コネクタのケースの斜視図であって、６ピンタイプの第１カードに対応した第１コンタクト端子が設けられた場合の斜視図であり、（ｂ）は８ピンタイプの第２カードに対応した第２コンタクト端子が設けられた場合の斜視図である。
【図２−２】カード用コネクタのハウジングの上面図であって、（ａ）は第１コンタクト端子が設けられた場合の上面図であり、（ｂ）は第２コンタクト端子が設けられた場合の上面図である。
【図２−３】図２−２に示したハウジングの下面図であって、（ａ）は第１コンタクト端子が設けられた場合の下面図であり、（ｂ）は第２コンタクト端子が設けられた場合の下面図である。
【図２−４】第２実施形態において第１，第２コンタクト端子の選択的な形成を可能にするためにフープ材に設けられた切除部を示す上面図である。
【図２−５】図２−４に示したフープ材がハウジングにインサート成形により固着された状態の下面図である。
【図２−６】（ａ）第１切除部群の切除により形成された第１コンタクト端子および第１外部接続部の図と、（ｂ）第２切除部群の切除により形成された第２コンタクト端子および第２外部接続部の図とを並べて示す図である。
【発明を実施するための形態】
【００２２】
本発明の第１，第２実施形態について説明する。
【００２３】
〔第１実施形態〕
第１実施形態について図１−１〜図１−８を用いて説明する。
【００２４】
図１−１に示すように、第１実施形態に係るカード用コネクタは、複数の電極をカードの一方の面に有するｓｉｍカードに対応したものであり、ケース１を有する。このケース１はハウジング２とカバー部材３とが結合して形成されている。図１−２に示すように、ケース１の一端側には挿入口１ａが形成されている。図１−１と図１−２を比較して分かるように、挿入口１ａにはトレイ４が挿入されている。
【００２５】
図１−２（ａ）に示すケース１は６ピンタイプのｓｉｍカードである第１カード５０（図１−４（ａ）に示す）に対応したものである。この場合のケース１においては、挿入口１ａの下方に、後述の第１コンタクト端子１０Ａ〜１０Ｆのそれぞれと連続して設けられた第１外部接続部１３Ａ〜１３Ｆが突出していている。これらの第１外部接続部１３Ａ〜１３Ｆは、電気機器への実装時のために回路基板に半田付けされるものである。
【００２６】
図１−２（ｂ）に示すケース１は８ピンタイプのｓｉｍカードである第２カード６０（図１−４（ｂ）に示す）に対応したものである。この場合のケース１においては、挿入口１ａの下方に、後述の第２コンタクト端子１４Ａ〜１４Ｈのそれぞれと連続して設けられた第２外部接続部１６Ａ〜１６Ｈが突出していている。これらの第２外部接続部１６Ａ〜１６Ｈも電子機器への実装のために回路基板に半田付けされるものである。
【００２７】
トレイ４には、図１−３に示すように、カバー部材３の上板部３ａからハウジング２の底板部２ａに向かう方向に凹んだ凹部４ａが形成されている。この凹部４ａは、図１−４に示す第１カード５０または第２カード６０を嵌め込み可能に形成されている。つまり、第１カード５０または第２カード６０をトレイ４に嵌め込んだ状態で、そのトレイ４をケース１に挿入口１ａから挿入することによって、ハウジング２に第１カード５０または第２カード６０がトレイ４とともに装着されるようになっている。
【００２８】
第１カード５０と第２カード６０は同じ外形寸法に設定されている。第１カード５０は、矩形で平坦な電極５１Ａ〜５１Ｆが第１カード５０の長手方向に２行、同短手方向に３列の配列で設けられた６ピンタイプのカードである。第１カード５０のハウジング２に対する挿入方向は、第１カード５０の長手方向と一致するよう設定されている。したがって、第１カード５０に対応したカード用コネクタにおいて、ハウジング２には、６つの第１コンタクト端子１０Ａ〜１０Ｆが第１カード５０の挿入方向に２行、この挿入方向に対する直交方向に３列の配列で設けられている。第１コンタクト端子１０Ａ〜１０Ｆのそれぞれは挿入口１ａ側の端部にハウジング２の底板部２ａに埋設された埋設部１１Ａ〜１１Ｆのそれぞれを有し、これらの埋設部１１Ａ〜１１Ｆ側を固定端として第１カード５０の挿入方向に延び、カバー部材３の上板部３ａから離れる方向に撓むことが可能な片持ち梁状の板バネを成している。
【００２９】
第２カード６０は、矩形で平坦な電極６１Ａ〜６１Ｈが第２カード６０の長手方向に２行、同短手方向に４列の配列で設けられた８ピンタイプのカードである。第２カード６０のハウジング２に対する挿入方向も、第２カード６０の長手方向と一致する。したがって、第２カード６０に対応したカード用コネクタにおいて、ハウジング２には、８つの第２コンタクト端子１４Ａ〜１４Ｈが第２カード６０の挿入方向に２行、この挿入方向に対する直交方向に４列の配列で設けられている。第２コンタクト端子１４Ａ〜１４Ｈのそれぞれは挿入口１ａ側端部に、ハウジング２の底板部２ａに埋設された埋設部１１Ａ〜１１Ｈのそれぞれを有し、これらの埋設部１１Ａ〜１１Ｈ側を固定端として第２カード６０の挿入方向に延び、カバー部材３の上板部３ａから離れる方向に撓むことが可能な片持ち梁状の板バネを成している。
【００３０】
トレイ４の凹部４ａの底部４ａ１には開口部４ｂが形成されている。この開口部４ｂを通じて、第１コンタクト端子１０Ａ〜１０Ｆも第２コンタクト端子１４Ａ〜１４Ｈも、底部４ａ１よりもカバー部材３の上板部３ａ側に突出して位置する。これにより、第１カード５０に対応したカード用コネクタにおいては、第１カード５０がトレイ４に嵌った状態でハウジング２に装着されると、第１コンタクト端子１０Ａ〜１０Ｆのそれぞれが第１カード５０の電極５１Ａ〜５１Ｆのそれぞれに弾性的に押し付けられて導通することになる。これと同様に、第２カード６０に対応したカード用コネクタにおいては、第２カード６０がトレイ４に嵌った状態でハウジング２に装着されると、第２コンタクト端子１４Ａ〜１４Ｈのそれぞれが第２カード６０の電極６１Ａ〜６１Ｈのそれぞれに弾性的に押し付けられて導通することになる。
【００３１】
図１−５に示すように、ハウジング２の底板部２ａには、貫通孔からなる露出部３３Ａ〜３３Ｋが設けられている。これらの露出部３３Ａ〜３３Ｋを利用した第１実施形態に係るカード用コネクタの製造方法について次に説明する。
【００３２】
そのカード用コネクタの製造方法は、図１−６に示すフープ材２０を作製する第１工程と、この第１工程の後に図１−７に示すようにフープ材２０をハウジング２に固着させる第２工程と、この第２工程の後に図１−８に示す第１コンタクト端子１０Ａ〜１０Ｆまたは第２コンタクト端子１４Ａ〜１４Ｈを形成する第３工程とを含む。
【００３３】
第１工程においては、結合した未完成状態のコンタクト端子３０Ａ〜３０Ｈおよび未完成状態の外部接続部３１Ａ〜３１Ｈを、フープ材２０に設ける。フープ材２０には、切除される複数個所として第１，第２切除部群が設けられている。第１切除部群は、その切除により、第１カード５０の電極５１Ａ〜５１Ｆに対応した第１コンタクト端子１０Ａ〜１０Ｆおよび第１外部接続部１３Ａ〜１３Ｆが設けられるよう設定されたものである。具体的には黒塗りで示した切除部３２Ａ〜３２Ｏのうちの切除部３２Ｂ，３２Ｃ，３２Ｅ，３２Ｇ，３２Ｉ，３２Ｋ，３２Ｍ，３２Ｏと、未完成状態のコンタクト端子３０Ｇ，３０Ｈと、未完成状態の外部接続部３１Ａ，３１Ｈとが第１切除部群である。この第１切除部群を切除するとともに桟２２〜２４を切断した結果、図１−８（ａ）に示す第１コンタクト端子１０Ａ〜１０Ｆと第１外部接続部１３Ａ〜１３Ｆとが完成する。
【００３４】
第１コンタクト端子１０Ａは第１連結部１２Ａを介して第１外部接続部１３Ａ（元は未完成状態の外部接続部３１Ｂ）と連続している。その第１連結部１２Ａは、第１コンタクト端子１０Ａの埋設部１１Ａから第１コンタクト端子１０Ｂ側とは反対側（図１−８（ａ）における左側）に延び、次に抜取方向に屈曲して延び第１外部接続部１３Ａに結合した形状を成している。
【００３５】
第１コンタクト端子１０Ｂは第１連結部１２Ｂを介して第１外部接続部１３Ｂ（元は未完成状態の外部接続部３１Ｇ）と連続している。その第１連結部１２Ｂは、第１コンタクト端子１０Ｂの埋設部１１Ｂから第１コンタクト端子１０Ｃ側に延び、次に挿入方向に屈曲して第１コンタクト端子１０Ｃよりも挿入方向の奥側に延び、次に第１コンタクト端子１０Ｂ側とは反対側に第１コンタクト端子１０Ｃよりも第１コンタクト端子１０Ｂから離れて延び、次に抜取方向に屈曲して延び第１外部接続部１３Ｂに結合した形状を成している。
【００３６】
第１コンタクト端子１０Ｃは第１連結部１２Ｃを介して第１外部接続部１３Ｃ（元は未完成状態の外部接続部３１Ｆ）と結合している。その第１連結部１２Ｃは、第１コンタクト端子１０Ｃの埋設部１１Ｃから第１コンタクト端子１０Ｂ側とは反対側に延び、次に抜取方向に屈曲して第１コンタクト端子１０Ｆと第１連結部１２Ｂとの間に延び第１外部接続部１３Ｃに結合した形状を成している。
【００３７】
第１コンタクト端子１０Ｄと第１外部接続部１３Ｄ（元は未完成状態の外部接続部３１Ｃ）は、第１コンタクト端子１０Ｄの埋設部１１Ｄから抜取方向に直線状に延びた第１連結部１２Ｄを介して連続している。
【００３８】
第１コンタクト端子１０Ｅと第１外部接続部１３Ｅ（元は未完成状態の外部接続部３１Ｄ）は、第１コンタクト端子１０Ｅの埋設部１１Ｅから抜取方向に直線状に延びた第１連結部１２Ｅを介して連続している。
【００３９】
第１コンタクト端子１０Ｆと第１外部接続部１３Ｆ（元は未完成状態の外部接続部３１Ｅ）は、第１コンタクト端子１０Ｆの埋設部１１Ｆから抜取方向に直線状に延びた第１連結部１２Ｆを介して連続している。
【００４０】
第２切除部群は、その切除により、第２カード６０の電極６１Ａ〜６１Ｈに対応した第２コンタクト端子１４Ａ〜１４Ｈが設けられるよう設定されたものである。具体的には、前出の切除部３２Ａ〜３２Ｏのうちの切除部３２Ａ〜３２Ｄ，３２Ｆ，３２Ｈ，３２Ｊ，３２Ｌ，３２Ｎ，３２Ｏが第２切除部群である。この第２切除部群を切除するとともに桟２２〜２４を切断した結果、図１−８（ｂ）に示すように、第２コンタクト端子１４Ａ〜１４Ｈと第２外部接続部１６Ａ〜１６Ｈとが完成する。なお、第２切除部群における切除部３２Ｂ，３２Ｃ，３２Ｏは第１切除部群と共通している。
【００４１】
第２コンタクト端子１４Ａは第２連結部１５Ａを介して第２外部接続部１６Ａ（元は未完成状態の外部接続部３１Ａ）と連続している。その第２連結部１５Ａは、第２コンタクト端子１４Ａの埋設部１１Ａから第２コンタクト端子１４Ｂ側とは反対側（図１−８（ｂ）における左側）に延び、次に抜取方向に屈曲して第２外部接続部１６Ａに結合した形状を成している。
【００４２】
第２コンタクト端子１４Ｂは第２連結部１５Ｂを介して第２外部接続部１６Ｂ（元は未完成状態の外部接続部３１Ｈ）と連続している。その第２連結部１５Ｂは、第２コンタクト端子１４Ｂの埋設部１１Ｂから第２コンタクト端子１４Ｃ側に延び、次に挿入方向に屈曲して第２コンタクト端子１４Ｃよりも挿入方向の奥側に延び、次に第２コンタクト端子１４Ｂ側とは反対側（図１−８（ｂ）における右側）に第２コンタクト端子１４Ｇよりも第２コンタクト端子１４Ｂから離れて延び、次に抜取方向に屈曲し、次に第２コンタクト端子Ｇ側とは反対側（図１−８（ｂ）における右側）に延び、次に抜取方向に屈曲して延び第２外部接続部１６Ｂに結合した形状を成している。
【００４３】
第２コンタクト端子１４Ｃは第２連結部１５Ｃを介して第２外部接続部１６Ｃ（元は未完成状態の外部接続部３１Ｅ）と結合している。その第２連結部１５Ｃは、第１コンタクト端子１０Ｃの埋設部１１Ｃから第１コンタクト端子１０Ｂ側とは反対側（図１−８（ｂ）における右側）に延び、次に抜取方向に屈曲して延び、次に第１コンタクト端子１０Ｆ側（図１−８（ｂ）における左側）に屈曲し、次に抜取方向に屈曲して第２外部接続部１６Ｃに結合した形状を成している。
【００４４】
第２コンタクト端子１４Ｄは第２連結部１５Ｄを介して第２外部接続部１６Ｄ（元は未完成状態の外部接続部３１Ｂ）と結合している。その第２連結部１５Ｄは、第２コンタクト端子１４Ｄの埋設部１１Ｄから第２コンタクト端子１４Ｅ側とは反対側（図１−８（ｂ）の左側）に延び、次に第２外部接続部１６Ａよりも第２コンタクト端子１４Ｄ側で抜取方向に屈曲して延び第２外部接続部１６Ｄに結合した形状を成している。
【００４５】
第２コンタクト端子１４Ｅは第２連結部１５Ｅを介して第２外部接続部１６Ｅ（元は未完成状態の外部接続部３１Ｃ）と連続している。その第２連結部１５Ｅは、第２コンタクト端子１４Ｅの埋設部１１Ｅから第２コンタクト端子１４Ｄ側（図１−８（ｂ）における左側）に延び、次に、抜取方向に屈曲して延び第２外部接続部１６Ｅに結合した形状を成している。第２コンタクト端子１４Ｄと第２外部接続部１６Ｅは抜取方向に延びた直線状に並んでいる。
【００４６】
第２コンタクト端子１４Ｆは第２連結部１５Ｆを介して第２外部接続部１６Ｆ（元は未完成状態の外部接続部３１Ｄ）と連続している。その第２連結部１５Ｆは、第２コンタクト端子１４Ｆの埋設部１１Ｆから第２コンタクト端子１４Ｅ側（図１−８（ｂ）の左側）に延び、次に抜取方向に屈曲して第２外部接続部１６Ｆに結合した形状を成している。第２コンタクト端子１４Ｅと第２外部接続部１６Ｆも抜取方向に延びた直線状に並んでいる。
【００４７】
第２コンタクト端子１４Ｇは第２連結部１５Ｇを介して第２外部接続部１６Ｇ（元は未完成状態の外部接続部３１Ｇ）と連続している。その第２連結部１５Ｇは、第２コンタクト端子１４Ｇの埋設部１１Ｇから第２コンタクト端子１４Ｃ側とは反対側（図１−８（ｂ）における右側）に延び、次に抜取方向に屈曲し、次に第２コンタクト端子１４Ｃ側とは反対側に屈曲し、次に抜取方向に屈曲して第２コンタクト端子１４Ｈと第２連結部１５Ｂの間に位置して延び第２外部接続部１６Ｇに結合した形状を成している。
【００４８】
第２コンタクト端子１４Ｈは第２連結部１５Ｈを介して、第２外部接続部１６Ｃ，１６Ｇの間に位置する第２外部接続部１６Ｈ（元は未完成状態の外部接続部３１Ｆ）と連続している。その第２連結部１５Ｈは第２コンタクト端子１４Ｈの埋設部１１Ｈから第２外部接続部１６Ｆとは反対側（図２−６（ｂ）の右側）に斜めに延び、次に抜取方向に屈曲して第２外部接続部１６Ｈに結合した形状を成している。
【００４９】
第２工程は、結合した未完成状態のコンタクト端子３０Ａ〜３０Ｈおよび未完成状態の外部接続部３１Ａ〜３１Ｈをインサート成形によりハウジング２に固着する。結合した未完成状態のコンタクト端子３０Ａ〜３０Ｈは、フープ材２０に設けられた枠部２１内に位置し、この枠部２１に桟２２〜２４を介して結合している。枠部２１には、ハウジング２の成形金型（ｍｏｌｄ）に対する位置決めに利用される位置決め孔２１ａ〜２１ｄが設けられている。また、第２工程において、ハウジング２には切除部３２Ａ〜３２Ｏの上下両面を露出させる露出部３３Ａ〜３３Ｋ（貫通孔）が設けられる。ハウジング２において、第２コンタクト端子１４Ｇ，１４Ｈをカバー部材３の上板部３ａ側に突出させるための開口部２ｂ，２ｃはそれぞれ、未完成状態のコンタクト端子３０Ｇ，３０Ｈのそれぞれの上下両面を露出させる露出部として機能している。また、挿入方向の手前側におけるハウジング２の縁部を成し第２外部接続部１６Ａ〜１６Ｈが位置する切欠き部２ｄは、未完成状態の外部接続部３１Ａ，３１Ｈの上下両面を露出させる露出部として機能している。
【００５０】
第３工程は、前出の第１，第２切除部群のうち第１切除部群を切除することによって図１−５（ａ）に示すように第１コンタクト端子１０Ａ〜１０Ｆを設けるか、第１，第２切除部群のうち第２切除部群を切除することによって同図（ｂ）に示すように第２コンタクト端子１４Ａ〜１４Ｈを設けるかを選択し、選択した切除部群を切除するとともに、桟２２〜２４を切断する。この切除部群の切除および桟２２〜２４の切断の際にも、治具に対するフープ材２０の位置決めのため、前出の位置決め孔２１ａ〜２１ｄが利用される。
【００５１】
第１実施形態によれば次の効果を得られる。
【００５２】
第１実施形態によれば、第２工程において、結合した未完成状態の複数のコンタクト端子３０Ａ〜３０Ｈおよび未完成状態の外部接続部３１Ａ〜３１Ｈをインサート成形によりハウジング２に固着した状態にし、露出部３３Ａ〜３３Ｋにより第１，第２切除部群をすべて露出させることから、露出部３３Ａ〜３３Ｋのいずれかにおいて治具を用い第１，第２切除部群を選択的に切除し、第１コンタクト端子１０Ａ〜１０Ｆおよび第２コンタクト端子１４Ａ〜１４Ｈを選択的に形成することができる。これにより、装着されるカードの外径寸法は同じであるが数の異なるコンタクト端子がインサート成形により設けられるハウジング同士を、形状および寸法の同じ成形金型により成形することができ、したがってカード用コネクタの製造コストの削減に貢献できる。
【００５３】
第１実施形態によれば、６ピンタイプのｓｉｍカードと８ｓｉｍカードとに対応するカード用コネクタの製造の容易化に貢献できる。
【００５４】
〔第２実施形態〕
第２実施形態について図２−１〜図２−６を用いて説明する。これら図２−１〜図２−６において、前出の図１−１〜図１−８に示したものと同等のものに対しては、それら図１−１〜図１−８に付した符号と同じ符号をしてある。
【００５５】
第２実施形態に係るカード用コネクタも第１実施形態と同様に、図２−１に示すケース１と、トレイ４（第２実施形態では図示省略）とを備え、電極５１Ａ〜５１Ｆまたは電極６１Ａ〜６１Ｈをカードの一方の面に有するｓｉｍカード（第１カード５０または第２カード６０）に対応したものである。
【００５６】
第２実施形態に係るカード用コネクタは、第１実施形態における露出部３３Ａ〜３３Ｋと第１連結部１２Ａ〜１２Ｆまたは第２連結部１５Ａ〜１５Ｈとの替わりに、露出部７３Ａ〜７３Ｍと第１連結部７０Ａ〜７０Ｆ（図２−２（ａ），図２−６（ａ）に示す）または第２連結部７１Ａ〜７１Ｈ（図２−２（ｂ），図２−６（ｂ）に示す）を備えている点で構成が異なる。
【００５７】
図２−２に示すように、ハウジング２の底板部２ａには第１連結部７０Ａ〜７０Ｆまたは第２連結部７１Ａ〜７１Ｈがその上面を露出させた状態で固着されていて、埋設部１１Ａ〜１１Ｈがハウジング２の底板部２ａの下面で露出している。この構成は、ハウジング２の底板部２ａを薄くして、ケース１の薄型化することを意図したものである。これら以外の第２実施形態に係るカード用コネクタの構成は第１実施形態に係るカード用コネクタと同様である。
【００５８】
次に、露出部７３Ａ〜７３Ｍを利用した第２実施形態に係るカード用コネクタの製造方法について説明する。
【００５９】
そのカード用コネクタの製造方法は、図２−４に示すフープ材２０を作製する第１工程と、この第１工程の後に図２−５に示すようにフープ材２０をハウジング２に固着させる第２工程と、この第２工程の後に図２−６に示す第１コンタクト端子１０Ａ〜１０Ｆまたは第２コンタクト端子１４Ａ〜１４Ｈを形成する第３工程とを含む。
【００６０】
第１工程においては、結合した未完成状態のコンタクト端子３０Ａ〜３０Ｈおよび未完成状態の外部接続部３１Ａ〜３１Ｈを、フープ材２０に設ける。フープ材２０には、切除される複数個所として第１，第２切除部群が設けられている。第１切除部群が、その切除により、第１カード５０の電極５１Ａ〜５１Ｆに対応した第１コンタクト端子１０Ａ〜１０Ｆおよび第１外部接続部１３Ａ〜１３Ｆが設けられるよう設定されたものであることは、第１実施形態と同じである。具体的には黒塗りで示した切除部７２Ａ〜７２Ｍのうちの切除部７２Ａ〜７２Ｄ，７２Ｆ〜７２Ｌと、未完成状態のコンタクト端子３０Ｇ，３０Ｈと、未完成状態の外部接続部３１Ａ，３１Ｈとが第１切除部群である。この第１切除部群を切除するとともに桟２２〜２４を切断した結果、図２−６（ａ）に示す第１コンタクト端子１０Ａ〜１０Ｆと第１外部接続部１３Ａ〜１３Ｆが完成する。
【００６１】
第１コンタクト端子１０Ａは第１連結部７０Ａを介して第１外部接続部１３Ａ（元は未完成状態の外部接続部３１Ｂ）と連続している。その第１連結部７０Ａは、第１コンタクト端子１０Ａの埋設部１１Ａから第１コンタクト端子１０Ｂ側とは反対側（図２−６（ａ）における左側）に延び、次に第１カード５０の抜取方向に屈曲して延び第１外部接続部１３Ａに結合した形状を成している。
【００６２】
第１コンタクト端子１０Ｂは第１連結部７０Ｂを介して第１外部接続部１３Ｂ（元は未完成状態の外部接続部３１Ｇ）と連続している。その第１連結部１２Ｂは、第１コンタクト端子１０Ｂの埋設部１１Ｂから第１コンタクト端子１０Ｃ側（図２−６（ａ）における右側）に延び、次に挿入方向に屈曲して第１コンタクト端子１０Ｃよりも挿入方向の奥側に延び、次に第１コンタクト端子１０Ｂ側とは反対側に第１コンタクト端子１０Ｃよりも第１コンタクト端子１０Ｂから離れて延び、次に抜取方向に屈曲して延び、次に第１コンタクト端子１０Ｆ側とは反対側（図２−６（ａ）における右側）に斜め屈曲して延び第１外部接続部１３Ｂに結合した形状を成している。
【００６３】
第１コンタクト端子１０Ｃは第１連結部７０Ｃを介して第１外部接続部１３Ｃ（元は未完成状態の外部接続部３１Ｆ）と結合している。その第１連結部７０Ｃは、第１コンタクト端子１０Ｃの埋設部１１Ｃから抜取方向に延び、次に第１コンタクト端子１０Ｂ側とは反対側（図２−６（ａ）における右側）に延び、次に抜取方向に屈曲して第１コンタクト端子１０Ｆと第１連結部１２Ｂとの間に延び第１外部接続部１３Ｃに結合した形状を成している。
【００６４】
第１コンタクト端子１０Ｄと第１外部接続部１３Ｄ（元は未完成状態の外部接続部３１Ｃ）は、第１コンタクト端子１０Ｄの埋設部１１Ｄから抜取方向に直線状に延びた第１連結部１２Ｄを介して連続している。
【００６５】
第１コンタクト端子１０Ｅと第１外部接続部１３Ｅ（元は未完成状態の外部接続部３１Ｄ）は、第１コンタクト端子１０Ｅの埋設部１１Ｅから抜取方向に直線状に延びた第１連結部１２Ｅを介して連続している。
【００６６】
第１コンタクト端子１０Ｆと第１外部接続部１３Ｆ（元は未完成状態の外部接続部３１Ｅ）は、第１コンタクト端子１０Ｆの埋設部１１Ｆから抜取方向に直線状に延びた第１連結部１２Ｆを介して連続している。
【００６７】
第２切除部群は、その切除により、第２カード６０の電極６１Ａ〜６１Ｈに対応した第２コンタクト端子１４Ａ〜１４Ｈが設けられるよう設定されたものである。具体的には、前出の切除部７２Ａ〜７２Ｍのすべてが第２切除部群である。この第２切除部群を切除するとともに桟２２〜２４を切断した結果、図２−６（ｂ）に示すように、第２コンタクト端子１４Ａ〜１４Ｈと第１外部接続部１３Ａ〜１３Ｈとが完成する。なお、第２切除部群における切除部７２Ａ〜７２Ｄ，７２Ｆ〜７２Ｌは第１切除部群と共通している。
【００６８】
第２コンタクト端子１４Ａ〜１４Ｆのそれぞれは、第２外部接続部１６Ａ〜１６Ｆのそれぞれに対して第１連結部７０Ａ〜７０Ｆのそれぞれを介して連続している。ここで、第２外部接続部１６Ａ〜１６Ｆと第１外部接続部１３Ａ〜１３Ｆとを比較して分かるように、第１外部接続部１３Ａ〜１３Ｆの配列に、第２外部接続部１６Ａ〜１６Ｈの配列のうち第２コンタクト端子１４Ａ〜１４Ｆの配列が一致するよう設定されている。つまり、第１外部接続部１３Ａの配置と第２外部接続部１６Ａの配置とが一致し、第１外部接続部１３Ｄの配置と第２外部接続部１６Ｄの配置とが一致し、第１外部接続部１３Ｅの配置と第２外部接続部１６Ｅの配置とが一致し、第１外部接続部１３Ｆの配置と第２外部接続部１６Ｆの配置とが一致し、第１外部接続部１３Ｃの配置と第２外部接続部１６Ｃの配置とが一致し、第１外部接続部１３Ｂの配置と第２外部接続部１６Ｂの配置とが一致するよう設定されている。
【００６９】
第２コンタクト端子１４Ｇは第２連結部７１Ｇを介して第２外部接続部１６Ｇ（元は未完成状態の外部接続部３１Ａ）と連続している。その第２連結部７１Ｇは、第２コンタクト端子１４Ｇの埋設部１１Ｇから第２コンタクト端子１４Ｃ側とは反対側（図２−６（ｂ）における左側）に延び、次に挿入方向に第２連結部７１Ｂよりも奥側に延び、次に第２コンタクト端子１４Ｃ側（図２−６（ｂ）における左側）に第２コンタクト端子１４Ｃ，１４Ｂ，１４Ａおよび第２外部接続部１６のすべてを超えて延び、次に抜取方向に屈曲して延び第２外部接続部１６Ｇ（元は未完成状態の外部接続部３１Ａ）に結合した形状を成している。
【００７０】
第２コンタクト端子１４Ｈは第２連結部７１Ｈを介して第２外部接続部１６Ｈ（元は未完成状態の外部接続部３１Ｈ）と連続している。その第２連結部７１Ｈは第２コンタクト端子１４Ｈの埋設部１１Ｈから第２コンタクト端子１４Ｆ側とは反対側（図２−６（ｂ）における右側）に斜めに延びて第２外部接続部１６Ｈに結合した形状を成している。
【００７１】
第２工程は、結合した未完成状態のコンタクト端子３０Ａ〜３０Ｈおよび未完成状態の外部接続部３１Ａ〜３１Ｈをインサート成形によりハウジング２に固着する。結合した未完成状態のコンタクト端子３０Ａ〜３０Ｈは、フープ材２０に設けられた枠部２１内に位置し、この枠部２１に桟２２〜２４を介して結合されている。枠部２１には、ハウジング２の成形金型（ｍｏｌｄ）に対する位置決めに利用される位置決め孔２１ａ〜２１ｄが設けられている。また、第２工程において、ハウジング２には切除部７２Ａ〜７２Ｍの上下両面を露出させる露出部７３Ａ〜７３Ｍ（貫通孔）が設けられる。ハウジング２において、第２コンタクト端子１４Ｇ，１４Ｈをカバー部材３の上板部３ａ側に突出させるための開口部２ａ，２ｂはそれぞれ、未完成状態のコンタクト端子３０Ｇ，３０Ｈのそれぞれの上下両面を露出させる露出部として機能している。また、挿入方向の手前側におけるハウジング２の縁部を成し第２外部接続部１６Ａ〜１６Ｈが位置する切欠き部２ｄは、未完成状態の外部接続部３１Ａ，３１Ｈの上下両面を露出させる露出部として機能している。
【００７２】
第３工程は、前出の第１，第２切除部群のうち第１切除部群を切除することによって図２−６（ａ）に示すように第１コンタクト端子１０Ａ〜１０Ｆを設けるか、第１，第２切除部群のうち第２切除部群を切除することによって同図（ｂ）に示すように第２コンタクト端子１４Ａ〜１４Ｈを設けるかを選択し、選択した切除部群を切除するとともに、桟２２〜２４を切断する。
【００７３】
第２の実施形態によれば第１実施形態による場合と同様の効果を得られるだけでなく、次の効果も得られる。
【００７４】
第２実施形態においては、前述したように、第１コンタクト端子１０Ａ〜１０Ｆのそれぞれに連続してハウジング２外に導出された第１外部接続部１３Ａ〜１３Ｆの配列に、第２コンタクト端子１４Ａ〜１４Ｈのうち第２コンタクト端子１４Ａ〜１４Ｆのそれぞれに連続してハウジング２外に導出された第２外部接続部１６Ａ〜１６Ｈのうち第２外部接続部１６Ａ〜１６Ｆの配列が一致するよう設定されている。これにより、第１外部接続部１３Ａ〜１３Ｆや第２外部接続部１６Ａ〜１６Ｈを回路基板等に半田付けして電子機器に実装される際、第１外部接続部１３Ａ〜１３Ｆの配列に対応する半田付け部の配列の設定をすべて、第２外部接続部１６Ａ〜１６Ｆの配列に対応する半田付け部の配列の設定に利用できる。したがって、カード用コネクタの実装コストの削減に貢献できる。
【符号の説明】
【００７５】
１  ケース
１ａ  挿入口
２  ハウジング
２ａ  底板部
２ｂ，２ｃ  開口部
２ｄ  切欠き部
３  カバー部材
３ａ  上板部
４  トレイ
４ａ  凹部
４ａ１  底部
４ｂ  開口部
１０Ａ〜１０Ｆ  第１コンタクト端子
１１Ａ〜１１Ｆ  埋設部
１２Ａ〜１２Ｆ  第１連結部
１３Ａ〜１３Ｆ  第１外部接続部
１４Ａ〜１４Ｈ  第２コンタクト端子
１５Ａ〜１５Ｈ  第２連結部
１６Ａ〜１６Ｈ  第２外部接続部
２０  フープ材
２１  枠部
２１ａ〜２１ｄ  位置決め孔
２２〜２４  桟
３０Ａ〜３０Ｈ  未完成状態のコンタクト端子
３１Ａ〜３１Ｈ  未完成状態の外部接続部
３２Ａ〜３２Ｏ  切除部
３３Ａ〜３３Ｋ  露出部
５０  第１カード
５１Ａ〜５１Ｆ  電極
６０  第２カード
６１Ａ〜６１Ｈ  電極
７０Ａ〜７０Ｆ  第１連結部
７１Ａ〜７１Ｈ  第２連結部
７２Ａ〜７２Ｍ  切除部
７３Ａ〜７３Ｍ  露出部
【図１−１】
2010192407.tif 000003
【図１−２】
2010192407.tif 000004
【図１−３】
2010192407.tif 000005
【図１−４】
2010192407.tif 000006
【図１−５】
2010192407.tif 000007
【図１−６】
2010192407.tif 000008
【図１−７】
2010192407.tif 000009
【図１−８】
2010192407.tif 000010
【図２−１】
2010192407.tif 000011
【図２−２】
2010192407.tif 000012
【図２−３】
2010192407.tif 000013
【図２−４】
2010192407.tif 000014
【図２−５】
2010192407.tif 000015
【図２−６】
2010192407.tif 000016